(57)【要約】【課題】カメラのストロボ装置等の光源を構成するＲ、Ｇ、Ｂごとの複数のＬＥＤの発光輝度のバラツキを適切に軽減して照明光の輝度及び色温度のムラをなくし、また、規定の色温度の照明光を適切に発光できるようにする照明装置及び照明装置の光源調整方法を提供することを目的とする。【解決手段】光源調整時において、システムコントローラ１０は、光源を構成する各ＬＥＤｎＲ、ｎＧ、ｎＢ（ｎ＝１〜Ｍ）を順に発光させ、そのとき受光センサＳにより検出される輝度が規定値となるように可変抵抗器ＶＲｎＲ、ＶＲｎＧ、ＶＲｎＢの抵抗値を調整する。続いて、全てのＬＥＤを発光させ、そのとき色温度センサ１８により検出される色温度が規定の色温度となるように可変抵抗器ＶＲＲ、ＶＲＧ、ＶＲＢの抵抗値を調整する。【選択図】      図１
2005011628.tif 000002
【特許請求の範囲】
【請求項１】
Ｒ、Ｇ、Ｂごとの複数の発光体を光源とする照明装置の光源調整方法であって、
前記複数の発光体を１つずつ発光させて輝度を又は光量を検出し、該検出した輝度又は光量に基づいて各発光体からの照明光の輝度又は光量がＲ、Ｇ、Ｂごとに決められた所定の規定値となるように各発光体の発光輝度又は積算発光時間の比を調整する輝度調整工程と、
前記複数の発光体を全て発光させて色温度を検出し、該検出した色温度に基づいて全ての発光体からの照明光が規定の色温度となるようにＲ、Ｇ、Ｂの発光体ごとに発光輝度又は積算発光時間の比を調整する色温度調整工程と、
からなることを特徴とする照明装置の光源調整方法。
【請求項２】
前記発光体は、発光ダイオードであることを特徴とする請求項１の照明装置の光源調整方法。
【請求項３】
前記照明装置は、カメラのストロボ装置であることを特徴とする請求項１又は２の照明装置の光源調整方法。
【請求項４】
Ｒ、Ｇ、Ｂごとの複数の発光体を光源とする照明装置において、
前記複数の発光体を１つずつ発光させる第１の発光手段と、
前記第１の発光手段により発光している発光体からの照明光の輝度又は光量を検出する光検出手段と、
前記光検出手段により検出した輝度又は光量がＲ、Ｇ、Ｂごとに決められた所定の規定値となるように前記各発光体の発光輝度又は積算発光時間の比を調整する輝度調整手段と、
前記複数の発光体の全てを前記輝度調整手段によって調整した発光輝度又は積算発光時間の比で発光させる第２の発光手段と、
前記第２の発光手段により発光している全ての発光体からの照明光の色温度を検出する色温度検出手段と、
前記色温度検出手段により検出した色温度が規定の色温度となるようにＲ、Ｇ、Ｂの発光体ごとに発光輝度又は積算発光時間の比を調整する色温度調整手段と、
からなることを特徴とする照明装置。
【発明の詳細な説明】
【０００１】
【発明の属する技術分野】
本発明は照明装置及び照明装置の光源調整方法に係り、特に発光ダイオード（以下、「ＬＥＤ」という）などの発光素子を用いた照明装置及び照明装置の光源調整方法に関する。
【０００２】
【従来の技術】
一般に、カメラのストロボ装置では光源としてキセノン管が使用されている。これに対して、近年では高輝度ＬＥＤが照明装置の光源として実用化できる状況にあり、カメラのストロボ装置等の高輝度発光が必要な照明装置への適用も可能となっている。ＬＥＤを光源に用いた照明装置において高輝度で白色の照明光を発光させる場合には、例えば、赤色（Ｒ）、緑色（Ｇ）、青色（Ｂ）のＬＥＤを２次元的に複数配列し、又は、白色のＬＥＤを２次元的に複数配列した構成となる。
【０００３】
このとき、各ＬＥＤの発光輝度の個体差、ＬＥＤの駆動回路における回路素子の個体差、ＬＥＤの離散的配置による光源の不連続性等によって輝度ムラができるおそれがあり、照明光が均一に照射されないという不具合や色温度が照明部分によって異なるという不具合が生じるおそれがあった。
【０００４】
特許文献１、２には、このような輝度ムラを低減する方法が提案されており、更に、特許文献３には、被写界の色温度に応じて照明光の色温度を調整できるようにしたストロボ装置が提案されている。
【０００５】
【特許文献１】
特開２００１−７６５２５号公報
【０００６】
【特許文献２】
特開２００１−１０３３６９号公報
【０００７】
【特許文献３】
特開２００２−１１６４８１号公報
【０００８】
【発明が解決しようとする課題】
しかしながら、上述の特許文献１の方法では、個体差等による各ＬＥＤの輝度ムラを低減することはできない。また、特許文献２の方法では、照明光の輝度ムラを補正する際、輝度ムラを検出するために全てのＬＥＤを同時に発光させ、それをカメラで撮影した画像上で検出するようにしているが、この方法では輝度ムラにどのＬＥＤが影響しているかを判断し、適切に補正するのが難しいという欠点がある。更に、特許文献３では被写界の色温度に応じて照明光の色温度を調整するようにしているが、照明光を意図した色温度に調整するためにはある色温度にムラなどなく、ある基準状態で規定の色温度に適切に調整されていることが必要である。しかしながら、特許文献３には、その調整についてまでは記載されていない。
【０００９】
本発明はこのような事情に鑑みてなされたもので、光源を構成するＲ、Ｇ、Ｂそれぞれにおける複数の発光体（ＬＥＤ等）の発光輝度のバラツキを適切に軽減して照明光の輝度及び色温度のムラをなくし、また、規定の色温度の照明光を適切に発光できるようにする照明装置及び照明装置の光源調整方法を提供することを目的とする。
【００１０】
【課題を解決するための手段】
前記目的を達成するために、請求項１に記載の発明は、Ｒ、Ｇ、Ｂごとの複数の発光体を光源とする照明装置の光源調整方法であって、前記複数の発光体を１つずつ発光させて輝度を又は光量を検出し、該検出した輝度又は光量に基づいて各発光体からの照明光の輝度又は光量がＲ、Ｇ、Ｂごとに決められた所定の規定値となるように各発光体の発光輝度又は積算発光時間の比を調整する輝度調整工程と、前記複数の発光体を全て発光させて色温度を検出し、該検出した色温度に基づいて全ての発光体からの照明光が規定の色温度となるようにＲ、Ｇ、Ｂの発光体ごとに発光輝度又は積算発光時間の比を調整する色温度調整工程と、
からなることを特徴としている。
【００１１】
また、請求項２に記載の発明は、請求項１に記載の発明において、前記発光体は、発光ダイオードであることを特徴としている。
【００１２】
また、請求項３に記載の発明は、請求項１又は２に記載の発明において、前記照明装置は、カメラのストロボ装置であることを特徴としている。
【００１３】
また、請求項４に記載の発明は、Ｒ、Ｇ、Ｂごとの複数の発光体を光源とする照明装置において、前記複数の発光体を１つずつ発光させる第１の発光手段と、前記第１の発光手段により発光している発光体からの照明光の輝度又は光量を検出する光検出手段と、前記光検出手段により検出した輝度又は光量がＲ、Ｇ、Ｂごとに決められた所定の規定値となるように前記各発光体の発光輝度又は積算発光時間の比を調整する輝度調整手段と、前記複数の発光体の全てを前記輝度調整手段によって調整した発光輝度又は積算発光時間の比で発光させる第２の発光手段と、前記第２の発光手段により発光している全ての発光体からの照明光の色温度を検出する色温度検出手段と、前記色温度検出手段により検出した色温度が規定の色温度となるようにＲ、Ｇ、Ｂの発光体ごとに発光輝度又は積算発光時間の比を調整する色温度調整手段と、からなることを特徴としている。
【００１４】
本発明によれば、ＬＥＤ等の発光体を１つずつ発光させながら輝度調整を行うため、適切に照明光の輝度及び色温度のムラをなくすことができる。また、輝度調整後に更に色温度調整を行うため、規定の色温度の照明光を適切に発光することができる。
【００１５】
【発明の実施の形態】
以下添付図面に従って本発明に係る照明装置及び照明装置の光源調整方法の好ましい実施の形態について詳説する。
【００１６】
図１は、本発明が適用されるカメラのストロボ装置の回路構成を示した図である。同図におけるストロボ装置は、例えばホットシューによりカメラに着脱されるタイプのストロボ装置である。また、その照明光源には、赤色（Ｒ）、緑色（Ｇ）、青色（Ｂ）の高輝度発光のＬＥＤが使用され、各色のＬＥＤから出射された光がほぼ均等に混じり合うように２次元的に多数配列された構成となっている。
【００１７】
同図においてＬＥＤ１ＲとＬＥＤＭＲ（符号１ＲとＭＲ）は、ＲのＬＥＤにｎ＝１〜Ｍの通し番号を付してｎ番目のＬＥＤをＬＥＤｎＲで表したときの１番目とＭ番目のＲのＬＥＤを示しており、それ以外のＲのＬＥＤは省略している。同様にＬＥＤ１ＧとＬＥＤＭＧは、ｎ（＝１〜Ｍ）番目のＧのＬＥＤｎＧのうち１番目とＭ番目のＧのＬＥＤを示し、それ以外のＧのＬＥＤは省略している。ＬＥＤ１ＢとＬＥＤＭＢは、ｎ（＝１〜Ｍ）番目のＢのＬＥＤｎＢのうち１番目とＭ番目のＢのＬＥＤを示し、それ以外のＢのＬＥＤは省略している。尚、Ｒ、Ｇ、ＢのそれぞれのＬＥＤの数は等しくなくてもよい。
【００１８】
同図に示すシステムコントローラ１０は、本ストロボ装置の回路全体を統括制御するもので、ホットシューを介してカメラからシャッターレリーズに同期した発光信号を入力すると、各ＬＥＤ１Ｒ〜ＭＲ、ＬＥＤ１Ｇ〜ＭＧ、ＬＥＤ１Ｂ〜ＭＢを発光させるための発光制御を実行する。また、システムコントローラには、被写体距離、色温度、シャッタースピード等の撮影条件に関する設定情報がカメラから与えられており、ＲＯＭ１２に記録されている情報を参照して設定情報に応じた発光制御を実行する。
【００１９】
同図において、電圧可変回路１４は、システムコントローラ１０の制御により図示しない電源（電池）の出力電圧を適正な電圧に変換し、その電圧をＲ、Ｇ、ＢのＬＥＤごとに設けられた電力供給ラインＬＲ、ＬＧ、ＬＢに出力する。
【００２０】
電力供給ラインＬＲには、１番目からＭ番目までのＲのＬＥＤｎＲが並列に接続され、各ＬＥＤｎＲに並列に分岐された電流路にはそれぞれ可変抵抗器ＶＲｎＲ（ｎ＝１〜Ｍ）及びトランジスタＴｒｎＲ（ｎ＝１〜Ｍ）が各ＬＥＤｎＲに直列に接続されている。また、電圧可変回路１４から出力された電流が各ＬＥＤｎＲに分岐される前に流れる電流路には可変抵抗器ＶＲＲが接続されている。
【００２１】
各トランジスタＴｒｎＲのベースにはそれぞれシステムコントローラ１０により個別に切替可能なハイレベルとローレベルの電圧が印加されるようになっており、システムコントローラ１０によりハイレベルの電圧が印加されたトランジスタＴｒｎＲはオン（電流が流れる状態）となり、そのトランジスタＴｒｎＲに接続されたＬＥＤｎＲに電圧可変回路１４から電流が流れる。従ってそのＬＥＤｎＲが発光する。
【００２２】
一方、システムコントローラ１０によりローレベルの電圧が印加されたトランジスタＴｒｎＲはオフ（電流が流れない状態）となり、そのトランジスタＴｒｎＲに接続されたＬＥＤｎＲへの電流が遮断される。従ってそのＬＥＤｎＲが消灯する。
【００２３】
電力供給ラインＬＧ、ＬＢにも、電力供給ラインＬＲ上のＬＥＤｎＲ、トランジスタＴｒｎＲ、可変抵抗器ＶＲｎＲ、可変抵抗器ＶＲＲ（ｎ＝１〜Ｍ）と同様の構成によりそれぞれＬＥＤｎＧ、トランジスタＴｒｎＧ、可変抵抗器ＶＲｎＧ、可変抵抗器ＶＲＧ（ｎ＝１〜Ｍ）、及び、ＬＥＤｎＢ、トランジスタＴｒｎＢ、可変抵抗器ＶＲｎＢ、可変抵抗器ＶＲＢ（ｎ＝１〜Ｍ）が接続され、システムコントローラ１０により各トランジスタＴｒｎＧ、ＴｒｎＢのベースに個別に切替可能なハイレベルとローレベルの電圧が印加される。これにより各ＬＥＤｎＢ、ＬＥＤｎＧの発光と消灯がシステムコントローラ１０により制御される。
【００２４】
システムコントローラ１０は、撮影時において、カメラからのシャッターレリーズに同期した発光信号を入力した場合、全てのトランジスタＴｒｎＲ、ＴｒｎＧ、ＴｒｎＢ（ｎ＝１〜Ｍ）にハイレベルの電圧を印加し、Ｒ、Ｇ、Ｂの全てのＬＥＤｎＲ、ＬＥＤｎＧ、ＬＥＤｎＢ（ｎ＝１〜Ｍ）を発光させる。
【００２５】
また、各ＬＥＤｎＲ、ＬＥＤｎＧ、ＬＥＤｎＢの発光時において、それぞれに流れる電流の大きさは、各ＬＥＤｎＲ、ＬＥＤｎＧ、ＬＥＤｎＢに直列に接続される可変抵抗器ＶＲｎＲ、ＶＲｎＧ、ＶＲｎＢの抵抗値によって変る。従って、各ＬＥＤｎＲ、ＬＥＤｎＧ、ＬＥＤｎＢの発光輝度は、可変抵抗器ＶＲｎＲ、ＶＲｎＧ、ＶＲｎＢの各々の抵抗値を調整することによって個別に調整することができるようになっている。これにより、各ＬＥＤの輝度ムラをなくすように調整することができる（詳細は後述）。
【００２６】
また、可変抵抗器ＲＶＲはＲの全てのＬＥＤｎＲに流れる電流の大きさを一定の割合で可変し、可変抵抗器ＲＶＧはＧの全てのＬＥＤｎＧに流れる電流の大きさを一定の割合で可変し、可変抵抗器ＲＶＢはＢの全てのＬＥＤｎＢに流れる電流の大きさを一定の割合で可変する。従って、可変抵抗器ＲＶＲ、ＲＶＧ、ＲＶＢの各々の抵抗値を調整することによって、ＲのＬＥＤｎＲ、ＧのＬＥＤｎＧ、ＢのＬＥＤｎＢＲの発光輝度を全体的に可変することができる。これにより、全てのＬＥＤを発光したときの色温度を調整することができる（詳細は後述）。
【００２７】
可変抵抗器ＶＲｎＲ、ＶＲｎＧ、ＶＲｎＢや可変抵抗器ＶＲＲ、ＶＲＧ、ＶＲＢや、例えば、電気的な制御で抵抗値を可変できる電子ボリュームが用いられ、システムコントローラ１０の制御によりそれらの抵抗値を変更できるようになっている。製品出荷時等において詳細を後述するシステムコントローラ１０の調整機能より、各ＬＥＤｎＲ、ＬＥＤｎＧ、ＬＥＤｎＢの発光輝度にムラが生じないように、また、規定の色温度となるように可変抵抗器ＬＥＤｎＲ、ＬＥＤｎＧ、ＬＥＤｎＢや可変抵抗器ＶＲＲ、ＶＲＧ、ＶＲＢの抵抗値が自動的に調整されるようになっている。尚、可変抵抗器ＶＲｎＲ、ＶＲｎＧ、ＶＲｎＢや可変抵抗器ＶＲＲ、ＶＲＧ、ＶＲＢは必ずしも電子ボリュームでなくてもよく、機械的なボリュームを使用し、手作業等で調整するようにしてもよい。
【００２８】
また、同図に示すように本ストロボ装置は、ストロボ調光用の受光センサＳ及び調光回路１６を備えており、受光センサＳは、同図に示すように抵抗ＲとコンデンサＣの間に直列に接続されると共に電源からの電圧が印加されている。撮影時において上述のように各ＬＥＤｎＲ、ＬＥＤｎＧ、ＬＥＤｎＢの発光を開始すると、受光センサＳに光が入射し、その光強度に応じた電流が流れて発光量に応じた電荷がコンデンサＣに蓄積される。調光回路１６は、コンデンサＣの電圧を検出し、その電圧がシステムコントローラ１０から事前に与えられていた基準値に達すると、発光停止の信号をシステムコントローラ１０に出力する。システムコントローラ１０は、発光停止の信号を入力すると、上記トランジスタＴｒｎＲ、ＴｒｎＧ、ＴｒｎＢへの電圧をハイレベルからローレベルに切り替える。これにより、各ＬＥＤｎＲ、ＬＥＤｎＧ、ＬＥＤｎＢの発光が停止する。
【００２９】
また、本ストロボ装置は、色温度センサ１８を備えており、詳細は省略するが、例えば、ストロボ発光の際に被写界の色温度を色温度センサ１８により検出し、その色温度となるようにＲ、Ｇ、Ｂごとの発光量を調整する。Ｒ、Ｇ、Ｂごとの発光量を調整する方法としては、可変抵抗器ＶＲＲ、ＶＲＧ、ＶＲＢの抵抗値等を調整することにより、Ｒ、Ｇ、ＢごとにＬＥＤの発光輝度を調整する方法や、Ｒ、Ｇ、ＢごとのＬＥＤの発光時間の割合を調整する方法等がある。尚、本実施の形態において色温度センサ１８は、製品出荷時等において規定の色温度の照明光となるように可変抵抗器ＶＲＲ、ＶＲＧ、ＶＲＢの抵抗値を調整する際に使用される。
【００３０】
次に、製品出荷時等における上記ストロボ装置の光源調整（輝度調整及び色温度調整）について図２のフローチャートを用いて説明する。まず、ＲのＬＥＤｎＲの輝度ムラをなくすために各ＬＥＤｎＲの発光輝度を調整する。そこで、システムコントローラ１０は、ＬＥＤｎＲ（ｎ＝１〜Ｍ）に割り当てた番号の変数ｎを１とし（ステップＳ１０）、ｎ番目（初期ではｎ＝１）のＲのＬＥＤｎＲに接続されたトランジスタＴｒｎＲのみにハイレベルの電圧を与え、ＲのＬＥＤｎＲのみを、例えばストロボチャートのような均一な被写体に向けて発光させる（ステップＳ１２）。そして、受光センサＳにより得られる光電流を調光回路１６により検出してそのときの発光輝度（発光輝度に対応する量）の測定を行う（ステップＳ１４）。尚、ここでの調光回路１６の処理は撮影時における発光量の検出の処理とは異なる。ただし、発光輝度を測定する代わりに一定発光量に達するまでの時間を測定するようにし、その時間が規定の時間となるように各ＬＥＤの輝度を調整することも可能であり、この場合には撮影時における調光回路１６の処理をそのまま適用できる。
【００３１】
次にシステムコントローラ１０は、調光回路１６により検出された発光輝度に基づいて、ＬＥＤｎＲの発光輝度が規定値となるようにＬＥＤｎＲに接続された可変抵抗器ＲＶｎＲの抵抗値を調整する（ステップＳ１６）。
【００３２】
尚、可変抵抗器ＲＶｎＲの抵抗値を調整する際に、調光回路１６により発光輝度の測定を行いながら発光輝度を監視し、その発光輝度が規定値となるように抵抗値を徐々に変化させて一致したところで抵抗値を固定するという方法も可能である。
【００３３】
システムコントローラ１０は、上記調整が終了すると、変数ｎがＲのＬＥＤｎＲの総数を示す値Ｍとなったか否かを判定する（ステップＳ１８）。ＮＯであれば、変数ｎに１を加えた値を新たな変数ｎの値とし（ｎ＝ｎ＋１）し、上記ステップＳ１０からの処理を繰り返す。即ち、ＲのＬＥＤｎＲをｎ＝１からＭまで順に１つずつ発光させて上述のように発光輝度の調整を行い、全ての発光輝度が規定の発光輝度となるように可変抵抗器ＶＲｎＲを個別に調整する。もし、全てのＲのＬＥＤｎＲについての調整が終了すると、ステップＳ１８においてＹＥＳと判定される。
【００３４】
ＲのＬＥＤｎＲの輝度調整が終了し、ステップＳ１８においてＹＥＳと判定した場合、続いて、上記ステップＳ１０からステップＳ２０までの処理と同様にＧのＬＥＤｎＧ、ＢのＬＥＤｎＢについての輝度調整を行う（ステップＳ２２、ステップＳ２４）。これにより、Ｒ、Ｇ、Ｂにおける各ＬＥＤ間での輝度ムラが解消される。尚、Ｒ、Ｇ、ＢのそれぞれのＬＥＤの規定の発光輝度は同じである必要はない。
【００３５】
以上のＲ、Ｇ、ＢのそれぞれのＬＥＤの輝度調整が終了すると、次に、システムコントローラ１０は、全てのトランジスタＴｒｎＲ、ＴｒｎＧ、ＴｒｎＢにハイレベルの電圧を印加し、Ｒ、Ｇ、Ｂの全てのＬＥＤｎＲ、ｎＧ、ｎＢを発光させる。そして、色温度センサ１８により色温度を測定する。この測定結果に基づいて、Ｒ、Ｇ、Ｂの全てのＬＥＤｎＲ、ｎＧ、ｎＢを発光させたときの色温度が規定の色温度となるように可変抵抗器ＶＲＲ、ＶＲＧ、ＶＲＢの抵抗値を調整する（ステップＳ２６）。尚、可変抵抗器ＶＲＲ、ＶＲＧ、ＶＲＢの抵抗値を調整する際に、色温度センサ１８により色温度の測定を行いながら測定した色温度が規定値となるように抵抗値を徐々に変化させて一致したところで抵抗値を固定するという方法も可能である。
【００３６】
以上の処理により光源からの照明光の発光輝度及び色温度が規定の発光状態に調整され、輝度ムラや色温度のばらつきが解消される。
【００３７】
以上、上記実施の形態では、Ｒ、Ｇ、ＢのＬＥＤを用いた照明装置をカメラのストロボ装置に適用した場合について説明したが、本発明は、ストロボ装置にかかわらず任意の照明装置に適用できる。また、ＬＥＤ以外の発光体を光源として使用した照明装置においても適用できる。
【００３８】
また、上記実施の形態では、可変抵抗器ＶＲＲ、ＶＲＧ、ＶＲＢによりＲの全てのＬＥＤ、Ｇの全てのＬＥＤ、Ｂの全てのＬＥＤのそれぞれの発光輝度を一括して変更し、色温度を調整するようにしたが、可変抵抗器ＶＲＲ、ＶＲＧ、ＶＲＢは必ずしも設ける必要はなく、Ｒの全ての可変抵抗器ＶＲｎＲ、Ｇの全ての可変抵抗器ＶＲｎＧ、Ｂの全ての可変抵抗器ＶＲｎＢのそれぞれの抵抗値を調整することによっても対応することができる。また、この場合に例えばＲの全てのＬＥＤｎＲの発光輝度を一定の割合で昇降させるとすると、正確には各ＬＥＤｎＲの抵抗値を一定の割合で加減することとなるが、各ＬＥＤｎＲの抵抗値を同じ値分だけ加減するようにしてもよい。
【００３９】
また、上記実施の形態では、可変抵抗器ＶＲＲ、ＶＲＧ、ＶＲＢ、ＶＲｎＲ、ＶＲｎＧ、ＶＲｎＢを調整することにより各ＬＥＤｎＲ、ｎＧ、ｎＢの発光輝度を調整し、光源を規定の発光状態に設定するようにしたが、これに限らず、各ＬＥＤｎＲ、ｎＧ、ｎＢの積算発光時間の比を調整することによって規定の発光状態に設定するようにしてもよい。
【００４０】
尚、積算発光時間とは、照明光の発光開始から発光終了までの発光処理を行っている総発光時間Ｔの間に実際に発光している時間ｔをいい、その比とは、積算発光時間ｔを総発光時間Ｔで割った値をいう。
【００４１】
ここで、製品出荷時等における光源調整によって各ＬＥＤｎＲ、ｎＧ、ｎＢの積算発光時間の比を調整した場合に、本発光時に各ＬＥＤをその積算発光時間の比で発光させるようにするには、本発光時に例えば、各ＬＥＤをパルス発光させ、各ＬＥＤのパルス発光のデューティ比を積算発光時間の比に設定する方法がある。また、事前に総発光時間が決まっている場合には、パルス発光にかぎらず、各ＬＥＤを連続発光させてもよく、各ＬＥＤの連続発光の発光時間を積算発光時間の比に応じた長さに設定する方法がある。もし、本発光時においいて、発光輝度や色温度を変更する場合には、基準の発光状態での各ＬＥＤの積算発光時間の比を基準にそれらの比を変更してもよいし、可変抵抗器ＶＲＲ、ＶＲＧ、ＶＲＢ、ＶＲｎＲ、ＶＲｎＧ、ＶＲｎＢの抵抗値を変更してもよい。
【００４２】
製品出荷時等において各ＬＥＤｎＲ、ｎＧ、ｎＢの積算発光時間の比を調整する方法について一例を説明すると、例えば、図１において、各ＬＥＤｎＲを１つずつ順に発光（連続発光）させ、各ＬＥＤを発光させたときに検出された輝度又は光量に対する規定値の割合を各ＬＥＤｎＲの積算発光時間の比とする。このとき求めた各ＬＥＤｎＲの積算発光時間の比をＬＥＤの番号ｎに対応させてＲｎＲで表すと、本発光時において、例えば各ＬＥＤｎＲをパルス発光させるときのデューティ比をＲｎＲに設定することによってＲのＬＥＤｎＲの輝度ムラを解消することができる。Ｇ、ＢのＬＥＤｎＧ、ｎＢに関しても同様である。尚、Ｇの各ＬＥＤｎＧの積算発光時間の比をＲｎＧとし、Ｂの各ＬＥＤｎＢの積算発光時間の比をＲｎＢとする。
【００４３】
続いて色温度の調整において、上述のようにして求めた積算発光時間の比ＲｎＲ、ＲｎＧ、ＲｎＢに相当するデューティ比により、Ｒ、Ｇ、Ｂの全てのＬＥＤｎＲ、ｎＧ、ｎＢをパルス発光させる。そして、そのとき検出される色温度に基づいて規定の色温度となるような各Ｒ、Ｇ、ＢのＬＥＤ間での積算発光時間の比を求める。即ち、各Ｒ、Ｇ、ＢのＬＥＤ間での積算発光時間の比をＲＲ、ＲＧ、ＲＢとすると、Ｒの各ＬＥＤｎＲの積算発光時間の比をＲＲ×ＲｎＲとし、Ｇの各ＬＥＤｎＧの積算発光時間の比をＲＧ×ＲｎＧとし、Ｂの各ＬＥＤｎＢの積算発光時間の比をＲＢ×ＲｎＢとしたときのデューティ比のパルス発光において規定の色温度が得られるような積算発光時間の比ＲＲ、ＲＧ、ＲＢの値を求める。本発光時において、各ＬＥＤｎＲ、ｎＧ、ｎＢをそれぞれ積算発光時間の比ＲＲ×ＲｎＲ、ＲＧ×ＲｎＧ、ＲＢ×ＲｎＢに対応したデューティ比でパルス発光させると、照明光の色温度が規定の色温度となる。
【００４４】
以上のように各ＬＥＤの積算発光時間の比を調整することによって規定の発光状態に設定するようにした場合には、可変抵抗器ＶＲＲ、ＶＲＲ、ＶＲＧ、ＶＲＢ、ＶＲｎＲ、ＶＲｎＧ、ＶＲｎＢは不要になるため、回路の簡素化が図れるという利点もある。
【００４５】
また、可変抵抗器ＶＲＲ、ＶＲＧ、ＶＲＢ、ＶＲｎＲ、ＶＲｎＧ、ＶＲｎＢの抵抗値と積算発光時間の比の両方を調整することによって規定の発光状態に設定するようにしてもよい。
【００４６】
【発明の効果】
以上説明したように本発明に係る照明装置及び照明装置の光源調整方法によれば、光源を構成するＬＥＤ等の発光体を１つずつ発光させながら輝度調整を行うため、適切に照明光の輝度及び色温度のムラをなくすことができる。また、輝度調整後に更に色温度調整を行うため、規定の色温度の照明光を適切に発光することができる。
【図面の簡単な説明】
【図１】本発明が適用されるカメラのストロボ装置の内部構成を示したブロック図
【図２】システムコントローラにおける輝度調整及び色温度調整の処理手順を示したフローチャート
【符号の説明】
１０…システムコントローラ、１２…ＲＯＭ、１４…電圧可変回路、１６…調光回路、１８…色温度センサ、ＬＲ、ＬＧ、ＬＢ…電力供給ライン、１Ｒ〜ＭＲ、１Ｇ〜ＭＧ、１Ｂ〜ＭＧ…ＬＥＤ、ＶＲＲ、ＶＲＧ、ＶＲＢ、ＶＲ１Ｒ〜ＶＲＭＲ、ＶＲ１Ｇ〜ＶＲＭＧ、ＶＲ１Ｂ〜ＶＲＭＢ…可変抵抗器、Ｔｒ１Ｒ〜ＴｒＭＲ、Ｔｒ１Ｇ〜ＴｒＭＧ、Ｔｒ１Ｂ〜ＴｒＭＢ…トランジスタ、Ｓ…受光センサ
【図１】
2005011628.tif 000003
【図２】
2005011628.tif 000004